(57)【要約】【課題】カードを収納する多数の区画収納部を備えたカードホルダにあって、目的とする区画収納部に収納されたカードを容易に探し出すことを可能とし、使い勝手のよいカードホルダを提供することを目的とする。【解決手段】カードホルダ２１は、矢印Ｘ方向に長尺とされる収納本体２２を備え、収納本体２２は、２枚の長尺状からなる平面長方形状で略同サイズからなる帯状体３２Ａと３２Ｂ、帯状体３３Ａと３３Ｂを対向させる状態で重合し、上辺部同士を除いた周縁部同士を相互に接着し、形成してなる。各帯状体３２Ａと３２Ｂ間、各帯状体３３Ａと３３Ｂ間には、長手方向（Ｘ方向）に沿ってカード２５を収納するための複数の区画収納部２６、２７が形成される。【選択図】図３
0003152454.tif 000002
【実用新案登録請求の範囲】
【請求項１】
全体扁平で長尺状の収納本体に複数枚のカードをそれぞれ区画状態で収納可能とする区画収納部を長さ方向に沿って複数並設する状態で形成し、各区画収納部は上方よりカードを出入れするための開口部を備えたポケット状のものとされるカードホルダにおいて、
少なくとも２枚の長尺状からなる平面長方形状で、略同サイズの帯状体を、長手方向を対向させる状態で重合し、重合された長手方向の一辺部同士を除いた長手方向の他辺部同士、長手方向に交差する各側辺部同士を含む周縁部同士を相互に接着し、接着しなかった一辺部同士を上方に配置してこの一辺部間を大きな開口部とする状態で上記全体扁平で長尺状の収納本体を形成し、
上記収納本体における対向配置される２枚の帯状体間で、帯状体間の長手方向に沿って、相互に位置をずらすように略所定間隔をもって、各面部同士が相互に、また各面部が重合される帯状体の面部と平行となるよう全体方形状で短冊状の仕切面材を複数枚配置し、全体方形状の各仕切面材は、各辺部を帯状体の各辺部に対応させる状態で２枚の帯状体間に配置し、一側の側辺部をこれに接する一側の帯状体の内側面と接着し、他側の側辺部をこれに接する他側の帯状体の内側面に接着し、各帯状体の接着しなかった一辺部間を離隔するように大きな開口部を拡げた状態において、各仕切面材の間、あるいは帯状体のうち、重合され、かつ接着された長手方向と交差する方向での側辺周縁部と仕切面材との間に形成され、上方に上記大きな開口部を区画する状態で形成されるポケット状の開口部を備えた空間を画成可能とし、該空間をカードを出入れし、収納するための区画収納部としてなるカードホルダ。
【請求項２】
各仕切面材は一側の帯状体の内側面に接着する一側の側辺部と、他側の帯状体の内側面に接着する他側の側辺部との間において伸縮可能な布材で形成したことを特徴とする請求項１に記載のカードホルダ。
【請求項３】
２枚の帯状体は、それぞれ合成皮革材あるいは天然皮革材で形成され、重合された長手方向の一辺部同士を除いた長手方向の他辺部同士、長手方向に交差する各側辺部同士を含む周縁部同士を縫合する状態で接着することとした請求項１に記載のカードホルダ。
【考案の詳細な説明】
【技術分野】
【０００１】
本考案は、クレジットカード、キャッシュカードなど複数枚のカードを収納するためのカードホルダに関する。
【背景技術】
【０００２】
クレジットカード、キャッシュカードなどのカード類は、一般に一人の人が最低でも５〜６枚、場合によっては数１０枚から数百枚保持している場合があり、こうしたカード類は普通、下記特許文献１あるいは特許文献２に示されるような、財布兼用のカードホルダに保持させて持ち歩くのが一般とされている。
【先行技術文献】
【特許文献】
【０００３】
【特許文献１】特開２００１−２３８７１４
【特許文献２】実用新案登録第３１０８０６４号公報
【０００４】
例えば従来、図７に示すような財布兼用のカードホルダが主として紳士用として多用されるところであり、このカードホルダ１は通常は図７（Ａ）に示すように２つ折りにされてスーツの内ポケットなどに収容され、使用時において図７（Ｂ）に示すように２つ折りのものを広げて用いるようにして使用されている。
【０００５】
図７（Ｂ）に示すようにして広げられて横長に長尺状をなすカードホルダ１には、内側の右部に小銭入れ部２が備えられ、同じく内側の左部には、上下４段にわたり、それぞれカードを区画状態で収納するための区画収納部３Ａ、３Ｂ、３Ｃ、３Ｄが並設する状態で形成される。
【０００６】
各区画収納部３Ａ、３Ｂ、３Ｃ、３Ｄは、上方よりカード４を出入れするための開口部５を備えたポケット状のものとされ、このカードホルダ１は全体を合成皮革材や天然皮革材にて形成してなる。また、このカードホルダ１には、上方に紙幣を出入れするための開口部６を備えた、同じくポケット状の紙幣収納部７が形成される。
【０００７】
この他従来のカードホルダには図８に示すタイプのものも存在する。このカードホルダ１１も図８（Ａ）に示すように２つ折りにされてスーツの内ポケットなどに収容され、使用時において図８（Ｂ）に示すように２つ折りのものを広げて用いるようにして使用されている。
【０００８】
図８（Ｂ）に示すようにして広げられて縦長に長尺状をなすカードホルダ１１には、右側に上下複数段（８段）にわたり区画収納部１２が、左側にも上下複数段（８段）にわたり区画収納部１３が、並設する状態で形成される。
【０００９】
各区画形成部１２、１３は、上方よりカード１４を出入れするための開口部１５を備えたポケット状のものとされ、このカードホルダ１１は全体を合成皮革材や天然皮革材にて形成してなる。またカードホルダ１１には、右側の各区画収納部１２の内側に紙幣を出入れするための開口部１６を備えた、同じくポケット状の紙幣収納部１７が形成される。
【００１０】
このようにして形成される従来のカードホルダ１、１１にあっては、ポケット状をなす各区画収納部３Ａ〜３Ｄ、１２、１３において、カード４、１４は開口部５、１５よりその一端部を露出させるようにして収納させてなり（図７（Ｂ）、図８（Ｂ）参照）、例えば店舗などにおいてカード決済する場合において、対応するカード４、１４を区画収納部３Ａ〜３Ｄ、１２、１３より取出す場合、カード４、１４の露出された一端部を指で掴み、カード４、１４を対応する区画収納部３Ａ〜３Ｄ、１２、１３より引き出すようにして行っていた。
【００１１】
このようにして複数の区画収納部３Ａ〜３Ｄ、１２、１３に収納されたカード４、１４のうち、対応するカード４、１４を探し、これを引き出す場合にあって、実際に使用する目的とするカード４、１４かどうかを確認する場合、カードの開口部５、１５より露出される部分だけではなかなか確認できないため、いちいち各区画収納部３Ａ〜３Ｄ、１２、１３からカード４、１４を引き出し、カード４、１４の表面に表示された内容（カードの名称、種類、会社名、商標等）を確認しなければならなかった。
【００１２】
こうした確認作業については、図７（Ｂ）のように４つ程度の区画収納部３Ａ〜３Ｄしか存在しないタイプのカードホルダ１にあっては、さほどの労力は伴わないものの、図８（Ｂ）に示すように左右８段からなる多数の各区画収納部１２、１３に収納される中の１つのカード１４を探し出す場合にあっては大変面倒とされていた。
【００１３】
このような従来の不具合に着目し、本考案の考案者は、多数の区画収納部を備え、かつ目的とするカードを容易に探し出すことを可能とするカードホルダの開発を行ったところである。
【考案の概要】
【考案が解決しようとする課題】
【００１４】
すなわち、本考案はカードを収納する多数の区画収納部を備えたカードホルダにあって、目的とする区画収納部に収納されたカードを容易に探し出すことを可能とし、使い勝手のよいカードホルダを提供することを目的としている。
【課題を解決するための手段】
【００１５】
上記目的を達成するため、本考案の請求項１は、全体扁平で長尺状の収納本体に複数枚のカードをそれぞれ区画状態で収納可能とする区画収納部を長さ方向に沿って複数並設する状態で形成し、各区画収納部は上方よりカードを出入れするための開口部を備えたポケット状のものとされるカードホルダにおいて、少なくとも２枚の長尺状からなる平面長方形状で、略同サイズの帯状体を、長手方向を対向させる状態で重合し、重合された長手方向の一辺部同士を除いた長手方向の他辺部同士、長手方向に交差する各側辺部同士を含む周縁部同士を相互に接着し、接着しなかった一辺部同士を上方に配置してこの一辺部間を大きな開口部とする状態で上記全体扁平で長尺状の収納本体を形成し、上記収納本体における対向配置される２枚の帯状体間で、帯状体間の長手方向に沿って、相互に位置をずらすように略所定間隔をもって、各面部同士が相互に、また各面部が重合される帯状体の面部と平行となるよう全体方形状で短冊状の仕切面材を複数枚配置し、全体方形状の各仕切面材は、各辺部を帯状体の各辺部に対応させる状態で２枚の帯状体間に配置し、一側の側辺部をこれに接する一側の帯状体の内側面と接着し、他側の側辺部をこれに接する他側の帯状体の内側面に接着し、各帯状体の接着しなかった一辺部間を離隔するように大きな開口部を拡げた状態において、各仕切面材の間、あるいは帯状体のうち、重合され、かつ接着された長手方向と交差する方向での側辺周縁部と仕切面材との間に形成され、上方に上記大きな開口部を区画する状態で形成されるポケット状の開口部を備えた空間を画成可能とし、該空間をカードを出入れし、収納するための区画収納部としてなるカードホルダとしたものである。
【００１６】
また本考案の請求項２にあっては、各仕切面材は一側の帯状体の内側面に接着する一側の側辺部と、他側の帯状体の内側面に接着する他側の側辺部との間において伸縮可能な布材で形成したことを特徴とする請求項１に記載のカードホルダとしたものである。
【００１７】
さらに本考案の請求項３にあっては、２枚の帯状体は、それぞれ合成皮革材あるいは天然皮革材で形成され、重合された長手方向の一辺部同士を除いた長手方向の他辺部同士、長手方向に交差する各側辺部同士を含む周縁部同士を縫合する状態で接着することとした請求項１に記載のカードホルダとしたものである。
【考案の効果】
【００１８】
本考案の請求項１によれば、カードホルダにおける帯状体の接着しなかった一辺部間を離隔するように大きな開口部を拡げた状態において、各仕切面材の間、あるいは帯状体のうち、重合され、かつ接着された長手方向と交差する方向での側辺周縁部と仕切面材との間に形成される各区画収納部においても、ポケット状の開口部が、それぞれ各仕切面材間、あるいは帯状体のうち、重合され、かつ接着された長手方向と交差する方向での側辺周縁部と仕切面材間についても拡げられる状態で空間が画成されるため、各区画収納部にそれぞれ収納されるカードにあって、カードの表面、あるいは裏面に表示された表示内容（カードの名称、種類、会社名、商標等）を並列状態で視認し、それぞれ確認することが可能となる。これにより、カードを収納する多数の区画収納部を備えたカードホルダにあって、目的とする区画収納部に収納されたカードを容易に探し出すことを可能とし、使い勝手のよいカードホルダを提供することが可能となる。
【００１９】
また、本考案の請求項２によれば、各仕切面材を一側の帯状体の内側面に接着する一側の側辺部と、他側の帯状体の内側面に接着する他側の側辺部との間において伸縮可能な布材で形成したため、カードホルダにおける帯状体の接着しなかった一辺部間を離隔するように大きな開口部を拡げた状態において、各仕切面材も伸長される状態で各区画収納部においてポケット状の開口部が形成され、より使い勝手のよいカードホルダの提供が可能となる。
【００２０】
さらに本考案の請求項３によれば、２枚の帯状体をそれぞれ合成皮革材あるいは天然皮革材で形成し、重合された長手方向の一辺部同士を除いた長手方向の他辺部同士、長手方向に交差する各側辺部同士を含む周縁部同士を縫合する状態で接着することとしたので、高級感があり、使い勝手のよいカードホルダの提供が可能となる。
【図面の簡単な説明】
【００２１】
【図１】本考案の実施形態に係るカードホルダの２つ折りにし、収容される状態を示す斜視図である。
【図２】２つ折りにされたカードホルダを開いた状態にし、長尺状とした状態を示す斜視図である。
【図３】カードホルダにおける平面長方形状の帯状体にあって、接着しなかった一辺部同士を上方にして、この一辺部間を拡げ、大きな開口部を形成する状態を示す斜視図である。
【図４】カードホルダの各構成部材を示し、各部材の組合せ状態を示す斜視図である。
【図５】カードホルダに対し、カード、あるいは紙幣を収納させる状態を示す斜視図である。
【図６】各区画収納部に収納させるカードを視認し、カードの表示面を確認する状態を示す拡大斜視図である。
【図７】従来のカードホルダの１例を示す斜視図である。
【図８】従来の他のカードホルダの例を示す斜視図である。
【考案を実施するための形態】
【００２２】
以下、本考案の実施形態を図１ないし図６に基づいて説明する。実施形態に係るカードホルダ２１は、図１に示すように通常は２つ折りにコンパクトな大きさにされて、スーツの内ポケットやハンドバッグなどに収容されて使用可能なものとされる。
【００２３】
カードホルダ２１は、使用時において図１に示す状態から図２の矢印Ａ方向に広げて用いられ、この状態においてＸ方向で横長な長尺状のものとされる。
【００２４】
すなわちカードホルダ２１は、図２あるいは図３に示す状態において全体扁平で、Ｘ方向に長尺状をなす収納本体２２と、収納本体２２の内側における右側において、内部に小銭を収納するための小銭入れ部２３とを備えてなる。小銭入れ部２３は舌片２４を矢印Ｂ方向に持ち上げて上方に開口部が形成されることとなり、その開口部から内部に小銭を入れて収納させることを可能としている。
【００２５】
一方、収納本体２２は、複数枚のカード２５をそれぞれ区画状態で収納可能とする区画収納部を長さ方向（Ｘ方向）に沿って複数並設する状態で長さ方向（Ｘ方向）に交差する方向（Ｙ方向）で２列備えてなる。すなわち、収納本体２２にはＸ方向に沿って、複数の区画収納部２６と、複数の区画収納部２７を２列並設する状態で備えられ、図中、各区画収納部２６、２７はＸ方向において８つ備えるように形成される。
【００２６】
各区画収納部２６、２７は、図３に示すように上方よりカード２５を出入れするための開口部２８を備えたポケット状のものとされる。すなわち、区画収納部２６、２７には、図５に示すように長方形の扁平状からなるカード２５（クレジットカード、キャッシュカード等）が、上方より矢印に示すように開口部２８を通じ、収納させることが可能となり、また区画収納部２６、２７に収納されたカード２５も開口部２８より上方に引き出し、取出すことが可能とされる。
【００２７】
Ｙ方向において２列で並設される区画収納部２６と区画収納部２７の間には、Ｘ方向において大きな開口２９を上方に備える紙幣収納部３０が形成される。この紙幣収納部３０においては、図５に示すように長方形状の扁平状からなる紙幣３１が、上方より矢印に示すように開口部２９を通じ、内部に収納させることが可能となり、また紙幣収納部３０に収納された紙幣３１も開口部２９より上方に引き出し、取り出すことが可能とされる。
【００２８】
Ｙ方向において２列並設される区画収納部２６と区画収納部２７を備え、全体扁平状でＸ方向において長尺状をなす収納本体２２は、図４に示すように間に各区画収納部２６をそれぞれ形成可能とし、Ｘ方向に長尺状をなし、２枚の平面長方形状からなる帯状体３２Ａ、３２Ｂと、間に各区画収納部２７をそれぞれ形成可能とし、Ｘ方向に長尺状をなし、２枚の平面長方形状からなる帯状体３３Ａ、３３Ｂを組合せて形成される。各帯状体３２Ａ、３２Ｂ、３３Ａ、３３Ｂは、略同サイズの大きさからなり、帯状体３２Ａと３２Ｂ、帯状体３３Ａと３３Ｂの長手方向（Ｘ方向）を対向させるように重合し、重合された長手方向（Ｘ方向）の各辺部Ｐ１、Ｐ２、Ｑ１、Ｑ２のうち、上辺部Ｐ１同士を除いた長手方向（Ｘ方向）の下辺部Ｐ２同士、長手方向（Ｘ方向）に交差する方向（Ｚ方向）に沿う側辺部Ｑ１、Ｑ２同士を含む周縁部Ｐ２、Ｑ１、Ｑ２同士を相互に縫合するようにして接着させてなる。
【００２９】
縫合による接着は、帯状体３２Ａ、３２Ｂと帯状体３３Ａ、３３Ｂ間についても同時に行われ、各帯状体３２Ａ、３２Ｂ、３３Ａ、３３Ｂも、長手方向（Ｘ方向）を対向させるように重合し、重合された長手方向（Ｘ方向）の各辺部Ｐ１、Ｐ２、Ｑ１、Ｑ２のうち、上辺部Ｐ１同士を除いた長手方向（Ｘ方向）の下辺部Ｐ２同士、長手方向（Ｘ方向）に交差する方向（Ｚ方向）に沿う側辺部Ｑ１、Ｑ２同士を含む周縁部Ｐ２、Ｑ１、Ｑ２同士を相互に縫合するようにして接着させてなる。
【００３０】
この結果、２つの帯状体３２Ｂと帯状体３３Ａの間において、上方に大きな開口部２９が形成されることとなり（図３参照）、この開口部２９は紙幣３１を上方より出入れするためのものとされ、帯状体３２Ｂ、３３Ａ間の空間を扁平な紙幣３１を収納するための紙幣収納部３０とすることが可能となる。
【００３１】
ここで対向配置される２枚の帯状体３２Ａと３２Ｂの間、並びに２枚の帯状体３３Ａと３３Ｂの間には、帯状体３２Ａ、３２Ｂ、３３Ａ、３３Ｂの長手方向（Ｘ方向）に沿って、相互に位置をずらすようにして複数枚（７枚）の仕切面材３４を配設し、これら各仕切面材３４をもって帯状体３２Ａと３２Ｂの間に８つの区画収納部２６を、帯状体３３Ａと３３Ｂの間に８つの区画収納部２７を画成することが可能となる。
【００３２】
各仕切面材３４は、図４に示すように帯状体３２Ａ、３２Ｂ、３３Ａ、３３Ｂより小サイズとされ、全体長方形状をなす短冊状のものとされる。各帯状体３２Ａと３２Ｂ、３３Ａと３３Ｂの間に沿って配設される仕切面材３４は、長手方向（Ｘ方向）に沿って、相互に位置をずらすように略所定間隔Ｔ（図４参照）をもって配置され、各面部同士が相互に平行となるよう配置されて対応する帯状体３２Ａ、３２Ｂ、３３Ａ、３３Ｂに接着させるようにしている。すなわち、長方形状の各仕切面材３４は、上下左右の各辺を対応する帯状体３２Ａ、３２Ｂ、３３Ａ、３３Ｂの各辺に対応させるように帯状体３２Ａと３２Ｂ間、あるいは帯状体３３Ａと３３Ｂ間にそれぞれ配置され、この状態において各仕切面材３４の各面部も帯状体３２Ａ、３２Ｂ、３３Ａ、３３Ｂに対して平行になるように設定され、重合されて、対応する帯状体３２Ａ、３２Ｂ、あるいは帯状体３３Ａ、３３Ｂに対して接着されることとなる。
【００３３】
帯状体３２Ａと３２Ｂ間に配置される仕切面材３４の帯状体３２Ａ、３２Ｂに対する接着は、仕切面材３４の右側の側辺部ｑ１をこれに接する帯状体３２Ａの内側面に縫合して行う（図４参照）。また仕切面材３４の左側の側辺部ｑ２をこれに接する帯状体３２Ｂの内側面に縫合して行うようにしている（図４参照）。
【００３４】
また帯状体３３Ａと３３Ｂ間に配置される仕切面材３４の帯状体３３Ａ、３３Ｂに対する接着は、仕切面材３４の右側の側辺部ｑ１をこれに接する帯状体３３Ａの内側面に縫合して行う（図４参照）。また仕切面材３４の左側の側辺部ｑ２をこれに接する帯状体３３Ｂの内側面に縫合して行うようにしている（図４参照）。
【００３５】
こうして対応する帯状体３２Ａ、３２Ｂ、３３Ａ、３３Ｂに対して各側辺部ｑ１、ｑ２を縫合して接着させた状態において、帯状体３２Ａと３２Ｂ間の各仕切面材３４の間、あるいは帯状体３２Ａ、３２Ｂのうち、重合され、かつ接着された長手方向（Ｘ方向）と交差する方向（Ｚ方向）での側辺周縁部Ｑ１と仕切面材３４との間、並びに側辺周縁部Ｑ２と仕切面材３４との間には扁平な空間がそれぞれ画成されることとなり、この画成された空間がカード２５を収納するための区画収納部２６とすることが可能となる。同様に帯状体３３Ａと３３Ｂ間の各仕切面材３４の間、あるいは帯状体３３Ａ、３３Ｂのうち、重合され、かつ接着された長手方向（Ｘ方向）と交差する方向（Ｚ方向）での側辺周縁部Ｑ１と仕切面材３４との間、並びに側辺周縁部Ｑ２と仕切面材３４との間には、扁平な空間がそれぞれ画成されることとなり、この画成された空間がカード２５を収納するための区画収納部２７とすることが可能となる。
【００３６】
すなわち、各区画収納部２６、２７は、各帯状体３２Ａ、３２Ｂ、３３Ａ、３３Ｂのうち、相互に接着を行わなかった上辺部Ｐ１間を離隔するようにし、その上方を図３の矢印Ｃ方向に拡げた状態において、帯状体３２Ａと３２Ｂの間、帯状体３３Ａと３３Ｂの間、さらに帯状体３２Ｂと３３Ａの間にそれぞれ大きな開口部が形成されることになる（図３、図５参照）。
【００３７】
この状態において、帯状体３２Ｂと３３Ａの間には、前述のとおり上方に開口部２９を備えた紙幣収納部３０が形成されることになる。
【００３８】
一方、矢印Ｃ方向に拡げられた各帯状体のうち、帯状体３２Ａと３２Ｂ間の上方に形成された大きな開口部間には、この大きな開口部を区画する状態で全体ポケット状をなす各区画収納部２６の開口部２８が位置されることとなる。各区画収納部２６は、上辺部同士を接着していない帯状体３２Ａと３２Ｂ間の各仕切面材３４の間、あるいは上辺部同士を接着していない帯状体３２Ａ、３２Ｂのうち、重合され、かつ接着された長手方向（Ｘ方向）と交差する方向（Ｚ方向）での側辺周縁部Ｑ１と仕切面材３４との間、並びに上辺部同士を接着していない帯状体３２Ａ、３２Ｂのうち、重合され、かつ接着された長手方向（Ｘ方向）と交差する方向（Ｚ方向）での側辺周縁部Ｑ２と仕切面材３４との間にそれぞれ画成されることとなる（Ｘ方向に沿って８つ並設される状態で画成される）。すなわち、各区画収納部２６は、帯状体３２Ａ、３２Ｂ間の上辺部Ｐ１間が図３あるいは図５のＣ方向に示すように離隔するように拡げられる状態において、上方の開口部２８も拡げられる状態で備えられることとなり、この状態において、開口部２８より扁平状、ポケット状をなす内部空間に対してカード２５を出入れし、収納させることが容易に可能となる。よって、帯状体３２Ａ、３２Ｂ間の上方においては、大きな開口部を区画する状態で形成されるポケット状の開口部２８を備えた空間を画成可能とし、該空間をカード２５を出入れし、収納するための８つの区画収納部２６としたカードホルダ２１が形成されることになる。
【００３９】
他方、矢印Ｃ方向に拡げられた各帯状体のうち、帯状体３３Ａと３３Ｂ間の上方に形成された大きな開口部間には、この大きな開口部を区画する状態で全体ポケット状をなす各区画収納部２７の開口部２８が位置されることとなる。各区画収納部２７は、上辺部同士を接着していない帯状体３３Ａと３３Ｂ間の各仕切面材３４の間、あるいは上辺部同士を接着していない帯状体３３Ａ、３３Ｂのうち、重合され、かつ接着された長手方向（Ｘ方向）と交差する方向（Ｚ方向）での側辺周縁部Ｑ１と仕切面材３４との間、並びに上辺部同士を接着していない帯状体３３Ａ、３３Ｂのうち、重合され、かつ接着された長手方向（Ｘ方向）と交差する方向（Ｚ方向）での側辺周縁部Ｑ２と仕切面材３４との間にそれぞれ画成されることとなる（Ｘ方向に沿って８つ並設される状態で画成される）。すなわち、各区画収納部２７は、帯状体３３Ａ、３３Ｂ間の上辺部Ｐ１間が図３あるいは図５に示すように離隔するように拡げられる状態において、上方の開口部２８も拡げられる状態で備えられることとなり、この状態において、開口部２８より扁平状、ポケット状をなす内部空間に対してカード２５を出入れし、収納させることが容易に可能となる。よって、帯状体３３Ａ、３３Ｂ間の上方においては、大きな開口部を区画する状態で形成されるポケット状の開口部２８を備えた空間を画成可能とし、該空間をカード２５を出入れし、収納するための８つの区画収納部２６としたカードホルダ２１が形成されることになる。
【００４０】
なお、実施形態において、対向配置され重合される各２枚の帯状体３２Ａと３２Ｂ、あるいは２枚の帯状体３３Ａと３３Ｂは、それぞれ合成皮革材あるいは天然皮革材で形成され、上辺部Ｐ１（一辺部）同士を除いた長手方向の下辺部（他辺部）同士、長手方向に交差する方向（Ｚ方向）での他辺部Ｑ１、Ｑ２を含む周縁部同士を、相互に縫合する状態で接着させるようにしている。
【００４１】
また、実施形態における各仕切面材３４は、一側の帯状体３２Ａ、３３Ａに接着する右側の側辺部ｑ１と、他側の帯状体３２Ｂ、３３Ｂに接着する左側の側辺部ｑ２との間において、図４の矢印Ｄ方向に伸縮可能な布材を用いて形成してなる。
【００４２】
さらに、実施形態において小銭入れ部２３は、図４に示すように型取って形成された皮革材２３Ａ、２３Ｂを用いて形成される。すなわち、各皮革材２３Ａ、２３Ｂの上辺部Ｒ１、Ｖ１同士を除く、下辺部Ｒ２、Ｖ２、側辺部Ｓ１、Ｓ２、Ｗ１、Ｗ２を含む周縁部は、帯状体３３Ｂの外側面に対して縫合して接着され、皮革材２３Ａの舌片２４の対応部分を矢印Ｅ方向に曲折することで形成される。なお、図４において３５Ａ、３５Ｂは相互に接・離可能に係合されるベルクロファスナである。
【００４３】
このようにして形成されるカードホルダ２１は、図３の矢印Ｃ方向で示すように、帯状体３２Ａと３２Ｂ、帯状体３３Ａと３３Ｂにおける接着しなかった上辺部Ｐ１間を離隔するように大きな開口部を拡げた状態において、各仕切面材３４の間、あるいは帯状体３２Ａと３２Ｂ、３３Ａと３３Ｂのうち、重合され、かつ接着された長手方向と交差する方向での側辺周縁部Ｑ１、Ｑ２と仕切面材３４との間に形成される各区画収納部２６、２７においても、ポケット状の開口部２８が、それぞれ各仕切面材３４間、あるいは帯状体３２Ａと３２Ｂ、３３Ａと３３Ｂのうち、重合され、かつ接着された長手方向と交差する方向での側辺周縁部Ｑ１、Ｑ２と仕切面材３４間についても拡げられる状態で空間が画成されることとなる（図３、図５参照）。このため、各区画収納部２６、２７にそれぞれ収納されるカード２５にあっては、カード２５の表面、あるいは裏面に表示された表示内容（カードの名称、種類、会社名、商標等）を並列状態で視認し、それぞれ確認することが可能となる。
【００４４】
すなわち、例えば図６のように指で矢印Ｃ方向に示すように、各帯状体３２Ａと３２Ｂ、３３Ａと３３Ｂの間を離隔するように上辺部Ｐ１同士を拡げることで、各区画収納部２６、２７に収納されるカード２５の各面部に表示される表示内容（カードの名称、種類、会社名、商標等）について、並列状態で視認し、確認することができ、従来のカードホルダのようにカードをいちいち区画収納部より引き出し、その表示面を確認する煩わしさから解放されることとなる。よって、カードを収納する多数の区画収納部を備えたカードホルダにあって、目的とする区画収納部に収納されたカードを容易に探し出すことを可能とし、使い勝手のよいカードホルダを提供することが可能となる。
【００４５】
加えて実施形態に係るカードホルダ２１は、各区画収納部２６、２７を画成可能とする仕切面材３４を、それぞれ図４の矢印Ｄ方向で伸縮可能とする布材で形成しているため、仕切面材３４を伸長させる状態で各帯状体３２Ａと３２Ｂの間、３３Ａと３３Ｂの間をより大きく拡げることが可能となり、その際に各区画収納部２６、２７の上方に形成される開口部２８の開口面積も大きくすることが可能となる。
【００４６】
さらに上記実施形態においては、各帯状体３２Ａ、３２Ｂ、３３Ａ、３３Ｂをそれぞれ合成皮革材あるいは天然皮革材で形成することとしているので、全体の外観において高級感があり、使い勝手のよいカードホルダ２１の提供が可能となる。
【００４７】
なお、上記実施形態においては、Ｙ方向において２列の区画収納部２６、２７を備えたカードホルダ２１としているが、２枚の帯状体３２Ａ、３２Ｂのみ対向配置してなる一列の区画収納部２６を備えたカードホルダとしてもよく、またＹ方向において３列以上の区画収納部を備えるべく、帯状体の数を増やしてカードホルダを形成してもよいのはもちろんである。
【００４８】
また上記実施形態においては、Ｘ方向において８つの区画収納部２６、２７を並設するように形成しているが、間に配設される仕切面材３４の数を増し、より多くの区画収納部を備えたカードホルダの提供を行うことも可能とされる。
【００４９】
また、上記実施形態では、仕切面材３４を図４の矢印Ｄ方向に伸縮可能な布材で形成するようにしているが、こうした素材を用いることに限定されず、通常の面材（布材、皮革材等）を用いることとしてもよい。また、上記実施形態では帯状体を合成皮革材あるいは天然皮革材で形成しているが、本考案に係るカードホルダはそのよう材質に限定されず、例えば帯状体、仕切面材のそれぞれを綿、麻、ナイロン等の布地や不織布で形成したカードホルダとしてもよい。
【００５０】
さらに、上記実施形態では、紙幣収納部３０や小銭入れ部２３を備えるようにしているが、必ずしもこうしたものを採用する必要はなく、また図１に示すように必ずしも２つ折りに収容可能なものとすることなく、常時長尺のものであってもよい。
【産業上の利用可能性】
【００５１】
以上のように、本考案に係るカードホルダ２１は、多数の区画収納部２６、２７にそれぞれカード２５を収納し、用いることができるため、たとえ数１０枚のカード２５を常時所持する人が使う場合においても、目的とされるカード２５を用意に探し出すことが可能なため、多数枚のカードを所持して使用する人向けの、使い勝手のよいカードホルダの提供が可能となる。
【符号の説明】
【００５２】
１、１１、２１  カードホルダ
２、２３        小銭入れ部
３Ａ、３Ｂ、３Ｃ、３Ｄ、１２、１３、２６、２７  区画収納部
４、１４、２５  カード
５、６、１５、１６、２８、２９  開口部
７、１７、３０  紙幣収納部
２２            収納本体
２４            舌片
３１            紙幣
３２Ａ、３２Ｂ、３３Ａ、３３Ｂ  帯状体
３４            仕切面材
３５Ａ、３５Ｂ  ベルクロファスナ  
【図１】
0003152454.tif 000003
【図２】
0003152454.tif 000004
【図３】
0003152454.tif 000005
【図４】
0003152454.tif 000006
【図５】
0003152454.tif 000007
【図６】
0003152454.tif 000008
【図７】
0003152454.tif 000009
【図８】
0003152454.tif 000010